(57)【特許請求の範囲】
【請求項１】
可撓性を有して内部にルーメンが形成されたカテーテルシャフトと、
前記カテーテルシャフトの先端側に配されて前記ルーメンと連通されたバルーンと、
前記カテーテルシャフトの基端側と接続される接続口、及び前記バルーンを膨張させるための流体を供給する流体供給源と接続される取付口が配された弁部とを備え、
前記弁部が、前記接続口と前記取付口とを連通させる管路が配された弁部本体と、前記管路に配され、弾性変形して前記管路を遮断する栓部と、前記栓部を押圧して変形させる押圧操作部とを備え、
雄ねじ部又は雌ねじ部の一方が前記弁部本体に、他方が前記押圧操作部に配されて、前記弁部本体と前記押圧操作部とが螺合可能とされ、
前記押圧操作部を前記弁部本体に対して螺合する際に前記弁部本体の供回りを規制する規制部が前記カテーテルシャフトに配され、
前記カテーテルシャフトは、
基端側に配された分岐部と、
前記分岐部から互いに離間して基端側に延びる第一シャフトおよび第二シャフトと、
を有し、
円柱状に形成されて前記第二シャフトに配されたコネクタ部と、
前記コネクタ部の軸線に直交する断面が半円の弧状に形成されるとともに内周面が前記コネクタ部の外周面に係合する曲面に形成された支持部本体、前記支持部本体の周方向の端部から前記支持部本体の径方向外側に延びる第一板状部材および第二板状部材を有し、前記第一シャフトに配され、前記支持部本体の内面側に前記コネクタ部を着脱可能に支持する支持部とを備え、
前記規制部は、
前記コネクタ部の外周面から凹んだ凹部と、
前記支持部本体の内周面に配され、前記凹部と係合する凸部と、
を有するバルーンカテーテル。
【請求項２】
請求項１に記載のバルーンカテーテルであって、
前記コネクタ部の軸線に直交する断面において、前記凹部および前記凸部は半円状に形成されている。
【請求項３】
請求項１に記載のバルーンカテーテルであって、
前記取付口が前記押圧操作部に配されている。
【請求項４】
請求項１に記載のバルーンカテーテルであって、
前記弁部を有する操作部を備え、
内視鏡が有する内視鏡操作部若しくはその近傍に前記操作部を着脱可能に装着させる固定部が、前記操作部に設けられている。
【発明の詳細な説明】
【技術分野】
【０００１】
本発明は、体腔内に導入して使用されるバルーンカテーテルに関する。
【背景技術】
【０００２】
総胆管内の結石を内視鏡的に十二指腸内に取り出す方法として、Ｘ線造影によって視認しながら胆管にバルーンを配置した後、結石摘出ができる程度にバルーンを高圧で膨張して胆管開口部を拡大して取り出す方法が現在広く普及している。この方法には、例えば、特許文献１に示すようなバルーンカテーテルが使用される。
【０００３】
バルーンカテーテルには、開閉弁を介してバルーンを膨張させる流体が挿入されたシリンジが取り付けられるようになっている。そのため、このバルーンカテーテルによれば、バルーンを膨張する際には、開閉弁を開としてシリンジから流体を供給して膨張させることができ、バルーンを膨張させた後は開閉弁を閉じることによってバルーンからの流体の逆流を防止して膨張形状を維持させることができる。また、バルーンを収縮させる際には、開閉弁を開とすることによって、バルーンから流体をシリンジに排出して収縮させることができる。
【０００４】
しかしながら、上記従来のバルーンカテーテルでは、術者が内視鏡の操作とバルーンの膨縮操作とを行う際、シリンジの操作までは一人で行うことができても、バルーンの膨張を維持するために、シリンジを押さえておきながら開閉弁を操作する作業までは一人で行うことができず、介助者との連携操作が必要となる。そのため、術者の思惑通りにバルーンの膨縮操作を行うことができない。従って、手技時間が増大し、Ｘ線の被爆量も増大してしまう。
【先行技術文献】
【特許文献】
【０００５】
【特許文献１】特開２００２−１４３３１１号公報
【発明の概要】
【発明が解決しようとする課題】
【０００６】
本発明は上記事情に鑑みて成されたものであり、バルーンの膨張又は収縮を術者が一人で行うことができ、操作性を向上して手技時間を短縮することができるバルーンカテーテルを提供することを目的とする。
【課題を解決するための手段】
【０００７】
本発明は、上記課題を解決するため、以下の手段を採用する。
本発明に係るバルーンカテーテルは、可撓性を有して内部にルーメンが形成されたカテーテルシャフトと、前記カテーテルシャフトの先端側に配されて前記ルーメンと連通されたバルーンと、前記カテーテルシャフトの基端側と接続される接続口、及び前記バルーンを膨張させるための流体を供給する流体供給源と接続される取付口が配された弁部とを備え、前記弁部が、前記接続口と前記取付口とを連通させる管路が配された弁部本体と、前記管路に配され、弾性変形して前記管路を遮断する栓部と、前記栓部を押圧して変形させる押圧操作部とを備え、雄ねじ部又は雌ねじ部の一方が前記弁部本体に、他方が前記押圧操作部に配されて、前記弁部本体と前記押圧操作部とが螺合可能とされ、前記押圧操作部を前記弁部本体に対して螺合する際に前記弁部本体の供回りを規制する規制部が前記カテーテルシャフトに配され、前記カテーテルシャフトは、基端側に配された分岐部と、前記分岐部から互いに離間して基端側に延びる第一シャフトおよび第二シャフトと、を有し、円柱状に形成されて前記第二シャフトに配されたコネクタ部と、前記コネクタ部の軸線に直交する断面が半円の弧状に形成されるとともに内周面が前記コネクタ部の外周面に係合する曲面に形成された支持部本体、前記支持部本体の周方向の端部から前記支持部本体の径方向外側に延びる第一板状部材および第二板状部材を有し、前記第一シャフトに配され、前記支持部本体の内面側に前記コネクタ部を着脱可能に支持する支持部とを備え、前記規制部は、前記コネクタ部の外周面から凹んだ凹部と、前記支持部本体の内周面に配され、前記凹部と係合する凸部と、を有する。
【０００８】
このバルーンカテーテルは、弁部の取付口に流体供給源を接続し、接続口にカテーテルシャフトを接続して流体供給源から流体を供給することによって、カテーテルシャフトのルーメンに流体を供給してバルーンを膨張させることができる。
このとき、押圧操作部を操作して栓部を押圧することによって、栓部が弾性変形して接続口と取付口との間が遮断される。従って、バルーン内に流入した流体の逆流を抑えてバルーンの膨張を維持することができる。バルーンを収縮させるときには、押圧操作部を操作して栓部の弾性変形を解除して接続口と取付口とを連通させることによって、流体をバルーンから排出させることができる。
また、弁部本体と押圧操作部とを螺合する際、螺合状態を調整することによって栓部の変形状態を調整することができる。この際、カテーテルシャフトに規制部が配されているので、押圧操作部を回転してもカテーテルシャフトに接続された弁部本体を回転規制することができ、弁部本体に対して押圧操作部を確実に回転することができる。
【０００９】
本発明に係るバルーンカテーテルは、前記コネクタ部の軸線に直交する断面において、前記凹部および前記凸部は半円状に形成されていることが好ましい。
【００１０】
本発明に係るバルーンカテーテルは、前記取付口が前記押圧操作部に配されていることが好ましい。
このバルーンカテーテルは、流体供給源を弁部の取付口に取り付けて流体供給源と押圧操作部とを接続することによって、流体供給源を螺合方向に回転して押圧操作部を回転操作することができる。従って、押圧操作部の回転操作を容易にして操作性を向上することができる。
【００１１】
本発明に係るバルーンカテーテルは、前記弁部を有する操作部を備え、内視鏡が有する内視鏡操作部若しくはその近傍に前記操作部を着脱可能に装着させる固定部が、前記操作部に設けられていることが好ましい。
このバルーンカテーテルは、内視鏡を操作する術者が、流体供給源からの流体供給操作を行う場合、バルーンの膨張及びその維持操作のみならず、バルーンの収縮操作を安定した状態で行うことができる。
【発明の効果】
【００１２】
本発明によれば、介助者の助けを借りずに術者が一人でバルーンの膨張及びその維持、又は収縮を行うことができ、バルーンの操作性を向上して手技時間を短縮することができる。
【図面の簡単な説明】
【００１３】
【図１】本発明の第１の実施形態に係るバルーンカテーテルの全体概要を示す図である。
【図２Ａ】本発明の第１の実施形態に係るバルーンカテーテルの弁部のバルーンを膨張する際又は膨張を維持する際の状態を示す平面図である。
【図２Ｂ】本発明の第１の実施形態に係るバルーンカテーテルの弁部のバルーンを収縮する際の状態を示す平面図である。
【図３Ａ】本発明の第１の実施形態に係るバルーンカテーテルの弁部に配された逆止弁が空気の流れを止めている状態を示す左正面図である。
【図３Ｂ】本発明の第１の実施形態に係るバルーンカテーテルの弁部に配された逆止弁が空気の流れを止めている状態を示す側面の断面図である。
【図３Ｃ】本発明の第１の実施形態に係るバルーンカテーテルの弁部に配された逆止弁が空気の流れを止めている状態を示す右正面図である。
【図３Ｄ】本発明の第１の実施形態に係るバルーンカテーテルの弁部に配された逆止弁が空気を流通している状態を示す側面の断面図である。
【図４】本発明の第２の実施形態に係るバルーンカテーテルの全体概要を示す図である。
【図５Ａ】本発明の第２の実施形態に係るバルーンカテーテルの弁部のバルーンを膨張する際又は膨張を維持する際の状態を示す側面の断面図である。
【図５Ｂ】本発明の第２の実施形態に係るバルーンカテーテルの弁部のバルーンを収縮する際の状態を示す側面の断面図である。
【図６】図４のＢ−Ｂ断面図である。
【図７Ａ】逆止弁の他の実施形態において逆止弁が空気の流れを止めている状態を示す側面の断面図である。
【図７Ｂ】逆止弁の他の実施形態において逆止弁が空気を流通している状態を示す側面の断面図である。
【発明を実施するための形態】
【００１４】
本発明に係る第１の実施形態について、図１から図３Ｄを参照して説明する。
本実施形態に係るバルーンカテーテル１は、図１に示すように、不図示のガイドワイヤに沿って不図示の内視鏡のチャンネル内で進退可能とされている。このバルーンカテーテル１は、細長で柔軟性を有するカテーテルシャフト３と、カテーテルシャフト３の先端側に配されたバルーン５と、カテーテルシャフト３の基端側と接続される弁部６とを備えている。
【００１５】
カテーテルシャフト３は、可撓性を有して内部にガイドワイヤが挿通されるガイドワイヤ用ルーメン７と、バルーン５と連通され、バルーン５を膨縮させるための空気（流体）が挿通されるバルーン用ルーメン（ルーメン）８と、造影剤が挿通される不図示の造影剤用ルーメンとが形成されている。
カテーテルシャフト３は、さらに、基端側に配された分岐部１０にて、ガイドワイヤ用ルーメン７が配される第一シャフト１１と、バルーン用ルーメン８及び造影剤用ルーメンが配される第二シャフト１２に二股に分岐されている。
【００１６】
第一シャフト１１の基端には、ガイドワイヤを挿通するためのワイヤ用口金１３が配されている。
第二シャフト１２の基端側は、さらに二股に分岐され、弁部６と接続される弁部用口金１５と、造影剤を流入するための造影剤用口金１６とが配されている。
【００１７】
ワイヤ用口金１３には、第一シャフト１１に対して第二シャフト１２を所定の角度及び間隔を有して位置決めするために第二シャフト１２に配されたコネクタ部１７を着脱可能に支持する支持部１８が配されている。
支持部１８には、内視鏡等に対してワイヤ用口金１３を位置決めするために、内視鏡の図示しない操作部若しくはその近傍に係合可能な略Ｃ字状に形成された固定部１９が配されている。
なお、バルーンカテーテル１は、分岐部１０からその手元側の弁部６及び造影剤用口金１６までの部材にて構成される全体操作部（操作部）２０を備えている。
【００１８】
弁部６は、図２Ａ及び図２Ｂに示すように、第二シャフト１２の弁部用口金１５と接続される接続口２１、バルーン５を膨張させるための空気を供給する不図示のシリンジ（流体供給源）と接続される取付口２３、及び外気への開放口２５が配された弁部本体２６と、後述する第一管路３０と第二管路３１との何れか一方を選択して、接続口２１と開放口２５と又は取付口２３と開放口２５との何れか一方を連通させる栓部（流体開放部）２７と、栓部２７と取付口２３との間の第一管路３０に配され、取付口２３側から接続口２１側に向かう流体は挿通し、かつ、接続口２１側又は開放口２５側から取付口２３側に向かう流体を遮断する逆止弁（流体規制部）２８とを備えている。
【００１９】
弁部本体２６には、接続口２１と取付口２３とを連通させる第一管路３０と、第一管路３０から分岐して接続口２１と開放口２５とを連通させる第二管路３１が配されている。栓部２７には、本管部３２ａと、本管部３２ａの途中に接続されて連通してＴ字管を構成する支管部３２ｂとからなるＴ字管路３２が配されている。栓部２７の表面には、第一管路３０及び第二管路３１と、本管部３２ａの両端位置及び支管部３２ｂの端部位置との位置合わせのための指標部２７Ａが配されている。
【００２０】
このＴ字管路３２は、栓部２７を図２Ａに示す位置に配した際には、第一管路３０と本管部３２ａとが連通して接続口２１と取付口２３とを連通状態とする一方、支管部３２ｂの端部が第二管路３１と反対方向を向くことにより、接続口２１と開放口２５とを遮断する。また、栓部２７を図２Ｂに示す位置に配した際には、支管部３２ｂの端部が第一管路３０の接続口２１側を向き、本管部３２ａの一端が第二管路３１の開放口２５側を向いて、接続口２１と開放口２５とを連通状態とする一方、本管部３２ａの他端が遮断されて、接続口２１と取付口２３とを遮断する。
【００２１】
逆止弁２８は、図３Ａ、図３Ｂ、及び図３Ｃに示すように、第一管路３０の径方向内方に突出して配されて中央部にオリフィス孔３３Ａが形成されたオリフィス部３３と、シリコン等の柔軟材で構成され、オリフィス孔３３Ａよりも大径とされて周縁部がオリフィス部３３と接触する蓋部３５と、所定の位置から蓋部３５の中心部を取付口２３側に所定の圧力で押圧する押さえ部３６とを備えている。
【００２２】
この逆止弁２８は、図３Ｂに示すように、接続口２１側から取付口２３側に空気が流れる際には、蓋部３５が空気によってオリフィス部３３に押圧されてオリフィス孔３３Ａが塞がれる。一方、取付口２３側から接続口２１側に空気が流れる際には、図３Ｄに示すように、蓋部３５がオリフィス部３３から離間する方向に移動する。しかし、押さえ部３６によって蓋部３５の移動が規制されるため、蓋部３５が湾曲する。このとき、蓋部３５の周縁部とオリフィス部３３との間に隙間３７が形成される。従って、空気が図中の矢印Ａのように隙間３７を介して流通する。
【００２３】
次に、本実施形態に係るバルーンカテーテル１の操作方法、及び作用・効果について説明する。
まず、不図示の内視鏡を体腔内に挿入し、不図示のガイドワイヤを周知の方法及び操作により、内視鏡を介して胆管内の所定の位置まで挿入し、所定の処置具による所定の処置を終了する。
【００２４】
続いて、弁部６の接続口２１と第二シャフト１２に配された弁部用口金１５とが接続され、弁部６の取付口２３にシリンジ５２が接続されたバルーンカテーテル１を用意する。
そして、バルーンカテーテル１のガイドワイヤ用ルーメン７にガイドワイヤを挿入させながら内視鏡を介してカテーテルシャフト３の先端側を胆管内に挿入し、バルーンカテーテル１の固定部１９を所定の位置に固定する。
また、造影剤用口金１６から不図示の造影剤用ルーメンに造影剤を流入してＸ線造影しながら処置を続行する。
【００２５】
バルーン５を膨張する場合、術者は、一方の手で常に内視鏡を把持しながら、もう片方の手で弁部６の栓部２７を回転操作して、図２Ａに示すように、接続口２１と取付口２３とを連通させるようにＴ字管路３２の方向を調整する。これによって、シリンジ５２とバルーン用ルーメン８とが連通する。
この状態で、もう片方の手によりシリンジ５２を操作して所定量の空気を弁部６に流入する。このとき、空気圧によって、逆止弁２８の蓋部３５がオリフィス部３３から離間する方向に移動しようとする。しかし、中心部分が押さえ部３６に当接するために周縁部側が湾曲して、蓋部３５の周縁部とオリフィス部３３との間に隙間３７が形成される。空気はこの隙間３７を介して第一管路３０内を流通する。こうして、バルーン５に空気が流入して膨張する。
【００２６】
所定量の空気を流入すると、シリンジ５２からの空気圧が低下する代わりにバルーン５側の圧力が上昇する。この空気圧によって、蓋部３５がオリフィス部３３に押圧されてオリフィス孔３３Ａが塞がれる。そのため、空気がシリンジ５２側に逆流しようとするのが阻止され、バルーン５内の圧力が維持されて膨張状態が維持される。
この状態で結石等を胆管内から掻きだして外に排出する。
【００２７】
バルーン５を収縮する際、術者は、上述のように一方の手で常に内視鏡を把持しながら、もう片方の手で弁部６の栓部２７を回転操作して、図２Ｂに示すように、接続口２１と開放口２５とを連通させるようにＴ字管路３２の方向を調整する。これによって、バルーン５やバルーン用ルーメン８内の空気が、開放口２５から外気中に排出される。これにともない、バルーン５が収縮する。
【００２８】
こうして、バルーンカテーテル１を、又は内視鏡ごと体腔内から抜去してバルーン５による処置を終える。
このバルーンカテーテル１によれば、弁部６に逆止弁２８が配されているので、バルーン５の膨張を維持する際に、シリンジ５２やバルーンカテーテル１の操作を特に行わなくても、供給した空気がシリンジ５２側に逆流するのを好適に抑えることができ、バルーン５の膨張状態を維持することができる。
【００２９】
また、逆止弁２８が第一管路３０内の取付口２３と栓部２７との間に配されているので、バルーン５を収縮させるときには、栓部２７を切り替えて接続口２１と開放口２５とを連通させる操作のみによって、空気を第二管路３１を介して開放口２５から外部へ排出することができる。
【００３０】
従って、バルーンの膨張及びその維持、又は収縮操作を片手で行うことができ、介助者の助けを借りなくても術者が一人で作業することができる。
そのため、術者のストレスを緩和し、かつ、手技時間を短縮してＸ線被爆量を削減するとともに、人件費等のコストダウンを実現することができる。
【００３１】
次に、第２の実施形態について図４から図６を参照しながら説明する。
なお、上述した第１の実施形態と同様の構成要素には同一符号を付すとともに説明を省略する。
第２の実施形態と第１の実施形態との異なる点は、本実施形態に係るバルーンカテーテル４０の弁部４１が、内部に接続口４２と取付口４３とを連通させる管路４５が配された弁部本体４６と、管路４５に配され、弾性変形して管路４５を遮断する栓部４７と、栓部４７を押圧して変形させる押圧操作部４８とを備えているとした点である。
なお、バルーンカテーテル４０は、分岐部１０からその手元側の弁部４１及び造影剤用口金１６までの部材にて構成される全体操作部４９を備えている。
【００３２】
図４、図５Ａ、及び図５Ｂに示すように、接続口４２は、弁部本体４６の先端に開口して配されている。弁部本体４６の基端側には、内側面に雌ねじ部５０Ａが形成された大径凹部５０と、大径凹部５０の底部からさらに凹んで形成された小径凹部５１とが配されている。
栓部４７は、管路４５よりも小径に形成されてこれと連通された貫通孔４７Ａが配されたゴム部材からなり、小径凹部５１と嵌合されて配されている。
押圧操作部４８には、弁部本体４６の管路４５と連通される別の貫通孔４８Ａが配され、この貫通孔４８Ａの端部に取付口４３が配されている。押圧操作部４８の先端側側面には、大径凹部５０の雌ねじ部５０Ａと螺合される雄ねじ部４８Ｂが配されている。
【００３３】
取付口４３の内面には別の雌ねじ部４３Ａが形成されており、シリンジ５２の先端に形成された別の雄ねじ部５２Ａと螺合可能とされている。なお、シリンジ５２と押圧操作部４８との螺合方向は、押圧操作部４８と弁部本体４６との螺合方向と同一方向となっている。
シリンジ５２には、押圧操作部４８との螺合を容易に行うためにシリンジ５２の側面から径方向外方に突出するフラップ５３が配されている。
【００３４】
第一シャフト１１に配された支持部５５及び第二シャフト１２に配されたコネクタ部５６には、押圧操作部４８を弁部本体４６に螺合する際に弁部本体４６の供回りを規制する規制部５７が配されている。この規制部５７は、図６に示すように、支持部５５に配された凸部５７Ａと、コネクタ部５６に配されて凸部５７Ａと係合される凹部５７Ｂとを備えている。
【００３５】
次に、本実施形態に係るバルーンカテーテル４０の操作方法、及び作用・効果について説明する。
まず、第１の実施形態と同様に、所定の処置具による所定の処置を終了する。
シリンジ５２が螺合された押圧操作部４８を弁部本体４６に配された栓部４７に接触するまで弁部本体４６に螺合し、弁部４１の接続口４２と第二シャフト１２に配された弁部用口金１５とが接続されたバルーンカテーテル４０を用意する。
【００３６】
そして、バルーンカテーテル４０のガイドワイヤ用ルーメン７にガイドワイヤを挿入させながら内視鏡を介してカテーテルシャフト３の先端側を胆管内に挿入し、バルーンカテーテル４０の固定部１９を所定の位置に固定する。
また、造影剤用口金１６から不図示の造影剤用ルーメンに造影剤を流入してＸ線造影しながら処置を続行する。
【００３７】
バルーン５を膨張する場合、シリンジ５２を操作して所定量の空気を弁部４１に流入する。このとき、栓部４７は弾性変形していないので、接続口４２と取付口４３とが連通されている。従って、シリンジ５２からの空気は管路４５内を流通する。こうして、バルーン用ルーメン８を介してバルーン５に空気が流入して膨張する。
【００３８】
シリンジ５２からの空気供給を終えた後、すぐにシリンジ５２のフラップ５３を把持し、図５Ａに示す状態からシリンジ５２を押圧操作部４８に螺合する方向に回転する。このとき、図５Ｂに示すように、栓部４７が押圧操作部４８に押圧されて小径凹部５１内で弾性変形し、栓部４７の貫通孔４７Ａが潰される。そのため、接続口４２と取付口４３との間が遮断されてバルーン５内の圧力が維持され、膨張状態が維持される。
この状態で結石等を胆管外に掻きだして胆管内から排出する。
【００３９】
バルーン５を収縮する際は、シリンジ５２のフラップ５３又は押圧操作部４８を直接把持して、シリンジ５２を取り外す方向に回転操作する。これによって、栓部４７への押圧力が低下して栓部４７の弾性変形が元の状態に戻り、栓部４７の貫通孔４７Ａの大きさが再び元の状態に戻る。これによって、バルーン５やバルーン用ルーメン８内の空気が、管路４５からシリンジ５２内に逆流し、バルーン５が収縮する。
【００４０】
こうして、バルーンカテーテル４０を、又は内視鏡ごと体腔内から抜去してバルーン５による処置を終える。
このバルーンカテーテル４０によれば、シリンジ５２による空気流入後にフラップ５３を把持して回転操作することによってバルーン５の膨張状態を維持することができる。従って、第１の実施形態と同様に、片手でバルーンの膨張及びその維持、又は収縮を行うことが可能となるので、術者と介助者との連携作業を不要にして術者の思惑通りに手技を行うことができる。
【００４１】
特に、弁部本体４６と押圧操作部４８とを螺合する際、螺合状態を調整することによって栓部４７の変形状態を微調整することができる。これにより、バルーン５の収縮時における流体の流量を微量にすることができ、バルーン５をゆっくり収縮させることができる。また、バルーン５の外径の微調整が可能となるので、バルーン５を膨張させた状態で胆石を十二指腸に排出する際、胆管の径が下流側に向かうにつれて細くなるのに合わせて、バルーン５の外径を小さくすることができる。さらに、コネクタ部と支持部５５とに規制部５７が配されているので、シリンジ５２や押圧操作部４８を回転操作しても、第二シャフト１２に接続された弁部本体４６を回転規制することができ、弁部本体４６に対して押圧操作部４８を確実に回転することができる。
【００４２】
また、フラップ５３を把持して弁部４１の取付口４３に接続したシリンジ５２を回転操作することによって、押圧操作部４８を一緒に回転操作することができ、栓部４７を弾性変形させることができる。この際、押圧操作部４８の外径よりもフラップ５３が径方向外方に配されているので、必要な回転力を軽減することができ、押圧操作部４８の回転操作を容易にして操作性を向上させることができる。
【００４３】
なお、本発明の技術範囲は上記実施の形態に限定されるものではなく、本発明の趣旨を逸脱しない範囲において種々の変更を加えることが可能である。
例えば、上記第１の実施形態では、逆止弁２８の押さえ部３６が蓋部３５の周縁部をオリフィス部３３に押圧するものとしているが、図７Ａに示すように、蓋部６０の中央部に切り欠き部６１が配され、押さえ部６２が蓋部３５の周縁部をオリフィス部３３に押圧する逆止弁６３としても構わない。
【００４４】
この切り欠き部６１の形状を接続口側から取付口側に幅広に形成することによって、図７Ｂに示すように、シリンジから空気を流入する場合には、切り欠き部６１が開いて空気の挿通孔６１Ａが形成される。従って、この挿通孔６１Ａを介して図中矢印Ａに示す方向に空気を流通させて、バルーンに空気を供給することができる。また、接続口側の空気圧が高い場合には、切り欠き部６１が塞がれて空気の逆流が抑えられ、バルーンの膨張を維持することができる。
【００４５】
（産業上の利用可能性）
生体の体腔内に導入して使用されるデバイスや、デバイスを含むシステムに使用できる。
【符号の説明】
【００４６】
１、４０  バルーンカテーテル
３  カテーテルシャフト
５  バルーン
６、４１  弁部
８  バルーン用ルーメン（ルーメン）
１８  支持部
２０、４９  全体操作部（操作部）
２１、４２  接続口
２３、４３  取付口
２５  開放口
２７、４７  栓部（流体開放部）
２８  逆止弁（流体規制部）
３０  第一管路
３１  第二管路
４５  管路
４８  押圧操作部
４８Ｂ  雄ねじ部
５０Ａ  雌ねじ部
５２  シリンジ（流体供給源）
５７  規制部
【図１】
0005412487.tif 000002
【図２Ａ】
0005412487.tif 000003
【図２Ｂ】
0005412487.tif 000004
【図３Ａ】
0005412487.tif 000005
【図３Ｂ】
0005412487.tif 000006
【図３Ｃ】
0005412487.tif 000007
【図３Ｄ】
0005412487.tif 000008
【図４】
0005412487.tif 000009
【図５Ａ】
0005412487.tif 000010
【図５Ｂ】
0005412487.tif 000011
【図６】
0005412487.tif 000012
【図７Ａ】
0005412487.tif 000013
【図７Ｂ】
0005412487.tif 000014